(57)【要約】【課題】使用者の必要に応じ、何時でも様々な交流磁場の周波数に調整する磁気治療装置を提供する。【解決手段】周波数変更可能な交流磁場の磁気治療装置は、交流磁場部材１０、マザーボード１１及び制御装置１２を備える。制御装置１２は、マザーボード１１と接続される。制御装置１２内にはＩＣが設けられるとともに、ＩＣにより交流磁場部材１０を制御し、様々な周波数の交流磁場を出射する。交流磁場部材１０が出射する周波数は３〜６０Ｈｚである。周波数変更可能な交流磁場の磁気治療装置１は、ベッドマットレス、椅子、枕、ステッピングセット又は携帯可能な交流磁場の磁気治療装置に取り付けられる。マザーボード１１及び制御装置１２が制御ボックス中に取り付けられる。ケーブルは、ベッドマットレス、椅子、枕、ステッピングセット又は携帯可能な交流磁場の磁気治療装置と接続される。【選択図】図１
0003213275.tif 000002
【実用新案登録請求の範囲】
【請求項１】
交流磁場部材、マザーボード及び制御装置を備えた周波数変更可能な交流磁場の磁気治療装置であって、
前記制御装置は、前記マザーボードと接続され、
前記制御装置内にはＩＣが設けられるとともに、前記ＩＣにより前記交流磁場部材を制御し、様々な周波数の交流磁場を出射することを特徴とする周波数変更可能な交流磁場の磁気治療装置。
【請求項２】
前記交流磁場部材が出射する周波数は３〜６０Ｈｚであることを特徴とする請求項１に記載の周波数変更可能な交流磁場の磁気治療装置。
【請求項３】
ベッドマットレス、椅子、枕、ステッピングセット又は携帯可能な交流磁場の磁気治療装置に取り付けられることを特徴とする請求項１に記載の周波数変更可能な交流磁場の磁気治療装置。
【請求項４】
前記マザーボード及び前記制御装置が制御ボックス中に取り付けられ、
ケーブルは、ベッドマットレス、椅子、枕、ステッピングセット又は携帯可能な交流磁場の磁気治療装置と接続されることを特徴とする請求項１に記載の周波数変更可能な交流磁場の磁気治療装置。
【考案の詳細な説明】
【技術分野】
【０００１】
本考案は、周波数変更可能な交流磁場の磁気治療装置に関するものであり、さらに詳しくは、交流磁場の磁気治療装置中に制御装置を増設し、制御装置内のＩＣを利用することにより、周波数変更可能な交流磁場の磁気治療装置に関するものである。
【背景技術】
【０００２】
現代の都市生活において、現代人は仕事が忙しく飲食が不規則なため、不眠症、頭痛、肩や首などの凝り、疲労、免疫力低下、血管の老化その他慢性病にかかる者が多い上、そのような状態が長期間続くと、重篤な病気にかかる虞もあることが指摘されてきた。科学技術の発展、医学の進歩により、近年、交流磁場（即ち超長波）を治療に応用することができることが知られ、それは多くの医学分野の専門家によっても証明されている。所謂、磁気治療とは、交流磁場を介してその波長は１００万メートル以上の磁気波長（即ち超長波（ｕｌｔｒａ  ｌｏｎｇ  ｍａｇｎｅｔｉｃ  ｗａｖｅ））を利用し、人体の自然治癒力を高め、身体の健康を維持し、副作用が全く無い上、刺激性又は嗜好性もないため、次第に全世界の医学界の注目を集め、高い評価を得ている。
【０００３】
従来から市販されている交流磁場の磁気治療装置は、その周波数が５０〜６０Ｈｚに固定されていることが一般的である。実際に使用する際、装置が発生させる磁場により、身体の調子を整えることができる上、新陳代謝を高めて血液循環を促進することができる。周波数５０〜６０Ｈｚの交流磁場は、少数の症状のみに適用することができるが、使用者が頭痛、肩や首などの凝り、慢性的な便秘、睡眠障害その他の症状を有する場合、異なる周波数の複数の磁気治療装置を使用する必要がある。そのため、このような単一の周波数を生成する交流磁場の磁気治療装置は改善が必要であった。
【考案の概要】
【考案が解決しようとする課題】
【０００４】
従って、本考案の主な課題は、使用者の必要に応じ、何時でも様々な交流磁場（即ち超長波）の周波数に調整可能な磁気治療装置を提供することにある。
【課題を解決するための手段】
【０００５】
そこで、本考案者は、前記の本考案の課題を解決するため鋭意検討を重ねた結果、交流磁場部材、マザーボード及び制御装置を備え、制御装置はマザーボードと接続され、制御装置内にはＩＣが設けられるとともに、ＩＣにより交流磁場部材を制御するように構成することにより、前記課題を解決できる点に着目し、かかる知見に基いて本考案を想到するに至った。
【０００６】
かくして、本考案の要旨は、次の（１）〜（４）に記載の通りのものである。
（１）交流磁場部材、マザーボード及び制御装置を備えた周波数変更可能な交流磁場の磁気治療装置であって、
前記制御装置は、前記マザーボードと接続され、
前記制御装置内にはＩＣが設けられるとともに、前記ＩＣにより前記交流磁場部材を制御し、様々な周波数の交流磁場を出射することを特徴とする周波数変更可能な交流磁場の磁気治療装置。
（２）前記交流磁場部材が出射する周波数は３〜６０Ｈｚであることを特徴とする前記（１）に記載の周波数変更可能な交流磁場の磁気治療装置。
（３）ベッドマットレス、椅子、枕、ステッピングセット又は携帯可能な交流磁場の磁気治療装置に取り付けられることを特徴とする前記（１）に記載の周波数変更可能な交流磁場の磁気治療装置。
（４）前記マザーボード及び前記制御装置が制御ボックス中に取り付けられ、
ケーブルは、ベッドマットレス、椅子、枕、ステッピングセット又は携帯可能な交流磁場の磁気治療装置と接続されることを特徴とする前記（１）に記載の周波数変更可能な交流磁場の磁気治療装置。
【０００７】
上記課題を解決するために、本考案の第１の形態によれば、交流磁場部材、マザーボード及び制御装置を備えた周波数変更可能な交流磁場の磁気治療装置であって、前記制御装置は、前記マザーボードと接続され、前記制御装置内にはＩＣが設けられるとともに、前記ＩＣにより前記交流磁場部材を制御し、様々な周波数の交流磁場を出射することを特徴とする周波数変更可能な交流磁場の磁気治療装置が提供される。
【０００８】
前記交流磁場部材が出射する周波数は３〜６０Ｈｚであることが好ましい。
【０００９】
ベッドマットレス、椅子、枕、ステッピングセット又は携帯可能な交流磁場の磁気治療装置に取り付けられることが好ましい。
【００１０】
前記マザーボード及び前記制御装置が制御ボックス中に取り付けられ、ケーブルは、ベッドマットレス、椅子、枕、ステッピングセット又は携帯可能な交流磁場の磁気治療装置と接続されることが好ましい。
【考案の効果】
【００１１】
本考案の周波数変更可能な交流磁場の磁気治療装置は、制御装置を３〜６０Ｈｚに調整し、α波、β波、δ波、θ波などの交流磁場周波数を設定し、使用者の様々な必要に適用し、１台の周波数変更可能な交流磁場の磁気治療装置を多種類の症状の磁気治療に適用し、家族全員が共同で使用することができ、携帯し易い制御ボックスを携帯使用することができる。
【図面の簡単な説明】
【００１２】
【図１】図１は、本考案の一実施形態に係る周波数変更可能な交流磁場の磁気治療装置を示す斜視図である。
【図２】図２は、本考案の一実施形態に係る周波数変更可能な交流磁場の磁気治療装置の使用状態の説明図（１）である。
【図３】図３は、本考案の一実施形態に係る周波数変更可能な交流磁場の磁気治療装置の使用状態の説明図（２）である。
【図４】図４は、本考案の一実施形態に係る周波数変更可能な交流磁場の磁気治療装置の使用状態の説明図（３）である。
【図５】図５は、本考案の一実施形態に係る周波数変更可能な交流磁場の磁気治療装置の使用状態の説明図（４）である。
【図６】図６は、本考案の一実施形態に係る周波数変更可能な交流磁場の磁気治療装置の使用状態の説明図（５）である。
【図７】図７は、本考案の他の実施形態に係る周波数変更可能な交流磁場の磁気治療装置の使用状態の説明図である。
【考案を実施するための形態】
【００１３】
まず、図１を参照する。図１は、本考案の一実施形態に係る周波数変更可能な交流磁場の磁気治療装置を示す斜視図である。図１に示すように、本考案の一実施形態に係る周波数変更可能な交流磁場の磁気治療装置１は、少なくとも交流磁場部材１０、マザーボード１１、制御装置１２及び制御押しボタン１３から構成されてなる。交流磁場部材１０は、波長５００〜６００万メートルの交流磁場を生成する。制御装置１２は、マザーボード１１上に設けられ、内部にＩＣを有するとともに、制御押しボタン１３に接続される。制御押しボタン１３上には、α波押しボタン１３０、β波押しボタン１３１、δ波押しボタン１３２及びθ波押しボタン１３３が設けられている。
【００１４】
図２を参照する。図２は、本考案の一実施形態に係る周波数変更可能な交流磁場の磁気治療装置の使用状態の説明図（１）である。図２に示すように、本考案の一実施形態に係る周波数変更可能な交流磁場の磁気治療装置１は、ベッドマットレス２と組み合わせる。ベッドマットレス２内には、交流磁場部材１０、マザーボード１１及び制御押しボタン１３が取り付けられる。制御押しボタン１３は、電線を介してベッドマットレス２の外部に接続されるとともにα波押しボタン１３０、β波押しボタン１３１、δ波押しボタン１３２及びθ波押しボタン１３３を有する。使用者は必要又はその症状に応じて様々な周波数の押しボタンを選択することができる。
【００１５】
図３を参照する。図３は、本考案の一実施形態に係る周波数変更可能な交流磁場の磁気治療装置の使用状態の説明図（２）である。図３に示すように、本考案の一実施形態に係る周波数変更可能な交流磁場の磁気治療装置１は、枕３と組み合わせる。枕３内には、交流磁場部材１０、マザーボード１１及び制御装置１２が取り付けられる。制御押しボタン１３は、電線を介して枕３の外部に接続されるとともにα波押しボタン１３０、β波押しボタン１３１、δ波押しボタン１３２及びθ波押しボタン１３３を有する。使用者は必要又はその症状に応じて様々な周波数の押しボタンを選択することができる。
【００１６】
図４を参照する。図４は、本考案の一実施形態に係る周波数変更可能な交流磁場の磁気治療装置の使用状態の説明図（３）である。図４に示すように、本考案の一実施形態に係る周波数変更可能な交流磁場の磁気治療装置１は、椅子４と組み合わせる。椅子４内には、交流磁場部材１０、マザーボード１１及び制御装置１２が取り付けられる。制御押しボタン１３は、電線を介して椅子４の外部に接続されるとともにα波押しボタン１３０、β波押しボタン１３１、δ波押しボタン１３２及びθ波押しボタン１３３を有する。使用者は必要又はその症状に応じて様々な周波数の押しボタンを選択することができる。
【００１７】
図５を参照する。図５は、本考案の一実施形態に係る周波数変更可能な交流磁場の磁気治療装置の使用状態の説明図（４）である。図５に示すように、本考案の一実施形態に係る周波数変更可能な交流磁場の磁気治療装置１は、ステッピングセット５と組み合わせる。ステッピングセット５内には、交流磁場部材１０、マザーボード１１及び制御装置１２が取り付けられる。制御押しボタン１３は、電線を介してステッピングセット５の外部と接続されるとともにα波押しボタン１３０、β波押しボタン１３１、δ波押しボタン１３２及びθ波押しボタン１３３を有する。使用者は必要又はその症状に応じて様々な周波数の押しボタンを選択することができる。
【００１８】
図６を参照する。図６は、本考案の一実施形態に係る周波数変更可能な交流磁場の磁気治療装置の使用状態の説明図（５）である。図６に示すように、本考案の一実施形態に係る周波数変更可能な交流磁場の磁気治療装置１の交流磁場部材１０、マザーボード１１、制御装置１２及び制御押しボタン１３は、携帯可能な交流磁場の磁気治療装置６と統合されているため（図５を再び参照する）、使用者にとって携帯し易く、実際に使用する際、使用者は、必要又はその症状に応じて様々な周波数のα波押しボタン１３０、β波押しボタン１３１、δ波押しボタン１３２又はθ波押しボタン１３３を選択して治療することができる。
【００１９】
図７を参照する。図７は、本考案の他の実施形態に係る周波数変更可能な交流磁場の磁気治療装置の使用状態の説明図である。図７に示すように、本考案の他の実施形態に係る周波数変更可能な交流磁場の磁気治療装置１のマザーボード１１、制御装置１２及び制御押しボタン１３は、制御ボックス７中に統合して取り付けることができるため、何時でも携帯して使用することができる上、多種類の装置と結合して使用することができる。制御ボックス７の外側には、マザーボード１１と接続されるケーブル７０が延設されている。枕３は、内部に交流磁場部材１０が取り付けられ、外側側辺に挿入穴３０が形成されている。実際に使用する際、ユーザがケーブル７０を枕３の外側側辺に形成された挿入穴３０に挿入するとき、制御ボックス７の制御押しボタン１３を利用し、α波、β波、δ波、θ波など様々な周波数を選択することができる。また、携帯可能な制御ボックス７は、ケーブル７０を介してベッドマットレス、椅子、ステッピングセット又は携帯可能な交流磁場の磁気治療装置と連結された後（図示せず）、周波数を調整することができる。
【００２０】
上述したことから分かるように、本考案の周波数変更可能な交流磁場の磁気治療装置は、以下（１）〜（６）の長所を有する。
（１）使用者の必要に応じて制御装置１２を３〜６０Ｈｚに調整し、α波、β波、δ波、θ波など様々な周波数を設定することができる。
（２）周波数が８〜１４Ｈｚであるα波押しボタン１３０を押下げると、脳部が得られるエネルギーが高めとなるため、脳の働きが早くスムーズとなり、直観力が高まる。
（３）周波数が１４Ｈｚ以上であるβ波押しボタン１３１を押下げると、適量のβ波により集中力が高まり、認知行動を向上させるのに非常に有益である。
（４）周波数が０．４〜４Ｈｚであるδ波押しボタン１３２を押下げると、人の睡眠の品質の良し悪しがδ波と関係するため、δ波により熟睡を手助けする。
（５）周波数が４〜８Ｈｚであるθ波押しボタン１３３を押下げると、θ波と大脳辺縁系とに大きな関連性があるため、潜在記憶が活性化され、長期記憶の強化に大きな手助けとなる。
（６）マザーボード１１、制御装置１２及び制御押しボタン１３が制御ボックス７に統合されているため、携帯し易く、何時でも多種類の磁気治療装置と組み合わせて使用することができる。
【００２１】
上述したことから分かるように、本考案の周波数変更可能な交流磁場の磁気治療装置は、制御装置を３〜６０Ｈｚに調整し、α波、β波、δ波、θ波などの交流磁場周波数を設定して使用者の様々な必要を満たし、１台の周波数変更可能な交流磁場の磁気治療装置を多種類の症状の磁気治療に適用し、家族全員が共同で使用することができ、携帯し易い制御ボックスを携帯使用することができる。
【符号の説明】
【００２２】
１  周波数変更可能な交流磁場の磁気治療装置
２  ベッドマットレス
３  枕
４  椅子
５  ステッピングセット
６  携帯可能な交流磁場の磁気治療装置
７  制御ボックス
１０  交流磁場部材
１１  マザーボード
１２  制御装置
１３  制御押しボタン
３０  挿入穴
７０  ケーブル
１３０  α波押しボタン
１３１  β波押しボタン
１３２  δ波押しボタン
１３３  θ波押しボタン
【図１】
0003213275.tif 000003
【図２】
0003213275.tif 000004
【図３】
0003213275.tif 000005
【図４】
0003213275.tif 000006
【図５】
0003213275.tif 000007
【図６】
0003213275.tif 000008
【図７】
0003213275.tif 000009
【手続補正書】
【提出日】平成29年9月5日(2017.9.5)
【手続補正１】
【補正対象書類名】実用新案登録請求の範囲
【補正対象項目名】全文
【補正方法】変更
【補正の内容】
【実用新案登録請求の範囲】
【請求項１】
交流磁場部材、マザーボード及び制御装置を備えた周波数変更可能な交流磁場の磁気治療装置であって、
前記制御装置は、前記マザーボードと接続され、
前記制御装置内にはＩＣが設けられるとともに、前記ＩＣにより前記交流磁場部材を制御し、様々な周波数の交流磁場を出射することを特徴とする周波数変更可能な交流磁場の磁気治療装置。
【請求項２】
前記交流磁場部材が出射する周波数は３〜６０Ｈｚであることを特徴とする請求項１に記載の周波数変更可能な交流磁場の磁気治療装置。
【請求項３】
ベッドマットレス、椅子、枕、ステッピングセット又は携帯可能な交流磁場の磁気治療装置に取り付けられることを特徴とする請求項１に記載の周波数変更可能な交流磁場の磁気治療装置。
【請求項４】
前記マザーボード及び前記制御装置が制御ボックス中に取り付けられ、
前記制御ボックスは、前記マザーボードと接続されるケーブルを備え、
前記ケーブルは、ベッドマットレス、椅子、枕、ステッピングセット又は携帯可能な交流磁場の磁気治療装置と接続されることを特徴とする請求項１に記載の周波数変更可能な交流磁場の磁気治療装置。
【手続補正２】
【補正対象書類名】明細書
【補正対象項目名】００１０
【補正方法】変更
【補正の内容】
【００１０】
前記マザーボード及び前記制御装置が制御ボックス中に取り付けられ、
前記制御ボックスは、前記マザーボードと接続されるケーブルを備え、
前記ケーブルは、ベッドマットレス、椅子、枕、ステッピングセット又は携帯可能な交流磁場の磁気治療装置と接続されることが好ましい。